(57)【特許請求の範囲】
【請求項１】
４隅に通路孔を有する伝熱プレートを複数枚積層して成り、２種類の熱交換媒体が所定の入口側通路孔から出口側通路孔へと流動する熱交換流路を、隣接する伝熱プレートの凹凸波板形状の伝熱部の間に、交互に形成したプレート式熱交換器において、
上記熱交換流路の熱交換媒体が流入する入口に、部分的に流路断面積を他の熱交換流路の平均断面積の半分以下に小さくして流れる熱交換媒体の流速をノズル効果で積極的に増大させる高流速堰を熱交換流路の入口を横切る方向に形成したことを特徴とするプレート式熱交換器。
【請求項２】
上記高流速堰を、熱交換流路の入口の幅方向全域に連続的に形成したことを特徴とする請求項１記載のプレート式熱交換器。
【請求項３】
上記高流速堰を、熱交換流路の入口の幅方向に複数を、熱交換媒体が堰間を回り込んで通過するときにも高流速化するように離隔させて形成したことを特徴とする請求項１記載のプレート式熱交換器。
【請求項４】
上記高流速堰を、隣接する２枚の各プレートを、部分的にプレス成形した凸部同士が接近するように形成したことを特徴とする請求項１〜３のいずれか１記載のプレート式熱交換器。
【請求項５】
上記高流速堰を、隣接する２枚のプレートの一方を、部分的にプレス成形した凸部を他方に接近させて形成したことを特徴とする請求項１〜３のいずれか１記載のプレート式熱交換器。
【請求項６】
上記高流速堰を、隣接する２枚のプレートの間に介在させた堰部材で形成したことを特徴とする請求項１〜３のいずれか１記載のプレート式熱交換器。
【発明の詳細な説明】
【０００１】
【発明の属する技術分野】
本発明は、複数枚の熱交換用伝熱プレートを積層してプレート間に２種類の熱交換媒体が流動する熱交換流路を交互に形成したプレート式熱交換器に関する。
【０００２】
【従来の技術】
プレート式熱交換器は図１２に示すように４隅に通路孔１〜４を有する縦長矩形の伝熱プレート１０を複数枚積層して構成される。図１２は１枚の伝熱プレート１０の正面図で、同図プレート１０の上部の左側通路孔１が冷却水等の１種類の熱交換媒体の入口であり、下部の左側通路孔３が同じ熱交換媒体の出口であって、この上下の通路孔１，３の間に在るプレート１０の略中央部が熱交換用伝熱部５である。１枚のプレート１０の伝熱部５は、隣接する他の１枚のプレート１０の伝熱部５と対向して、隣接する２枚の積層プレート１０，１０の伝熱部５，５の間に図１０の横断面図に示すように１種類の熱交換媒体が流動する熱交換流路ｍが形成される。熱交換流路ｍの周縁は、２枚のプレート間に介在させたガスケット等によるシール部６でシールされる。
【０００３】
熱交換流路ｍには、入口側通路孔１から出口側通路孔３へと１種類の熱交換媒体が流れる。この熱交換媒体は、図１２の鎖線矢印で示すように伝熱部５の主として中央部を縦に台形流パターンで流下する。伝熱プレート１０の他の通路孔２，４は他の１種類の熱交換媒体の入口と出口であって、図１２のプレート１０の裏面側に他の１種類の熱交換媒体が図１２の下部通路孔４から上部通路孔２へと流動する熱交換流路が形成される。そして１枚のプレート１０の伝熱部５の両面側で２種類の熱交換媒体が流動する間に、伝熱部５を通して熱交換が行われる。
【０００４】
また、プレート１０の伝熱部５における伝熱効率を上げ、隣接する２枚のプレート間隙を一定に確保するため、伝熱部５を所望の波パターンの凹凸波板形状にしている。伝熱部５の両面を波面にすることで熱交換媒体との接触面積が増大し、熱交換媒体が流れる流路長が増大し、更に、流動する熱交換媒体が乱流化して、伝熱部５の伝熱性能が良くなる。
【０００５】
図９のプレート１０の伝熱部５には、上下多段にＶ形の凹凸波７がヘリンボーンパターンで形成される。隣接する２枚のプレート１０，１０の凹凸波７、７の一方が図１１の実線で示す逆Ｖ形パターンであると、他方は図１１の破線で示すＶ形パターンであり、この２パターンの凹凸波７，７が対向して対向面側の凸部同士が交差して点Ｑ、Ｑで接触する。この点接触で隣接する２枚のプレート間隙が一定に規制され、プレート間の耐圧が確保される。
【０００６】
また、別のプレート式熱交換器を図１３に示す。この熱交換器は、図１２と同様なプレート１０の対角線方向の一対の通路孔１、４を１種類の熱交換媒体の入口と出口に使用し、他の一対の通路孔２、３を他の１種類の熱交換媒体の出口と入口に使用したものである。図１３のプレート１０においては、上部左側の通路孔１を１種類の熱交換媒体の入口に、下部右側の通路孔４が同じ熱交換媒体の出口に使用され、この場合の伝熱部５には図１３鎖線矢印で示すように、伝熱部５の対角線方向の斜向流パターンで熱交換媒体が流下する。
【０００７】
【発明が解決しようとする課題】
上記の各種プレート式熱交換器における伝熱プレートの伝熱性能改善策として、例えば図１０に示す複数の各伝熱プレート１０の成形深さｈを小さくする方策や、図９に示すように各伝熱プレート１０の伝熱部５における凹凸波７の伝面波角度θを小さくする方策が採用されている。しかし、これら方策が採用されたプレート式熱交換器においては、製造コストが高くなる等の次なる問題があった。
【０００８】
すなわち、図１０の伝熱プレート１０の成形深さｈを小さくすることで熱交換流路ｍが狭くなり、狭くなる分に応じて伝熱性能は上がるが、隣接する２枚のプレート１０の間のシール部６がガスケットの場合、プレート１０の成形深さｈが小さくなるほど使用可能なガスケット厚みが小さくなる。この結果、プレート１０の押圧によるガスケットの圧縮許容代が小さくなって、シール部６のシール性が不安定になる。また、伝熱プレート１０は金属板を金型でプレス成形して製造されるが、成形深さｈを小さく設計するほど、プレス成形の寸法バラツキは、熱交換器におけるプレート自体の伝熱性能に大きく影響を及ぼすことから、プレス成形深さのバラツキを抑制するために高精度の金型やプレス設備が必要となって、熱交換器の製造コストが高くなる。
【０００９】
また、図９の伝面波角度θを小さくするほど、伝熱部５に熱交換媒体が伝熱効率良く接触する等して伝熱性能が高くなるが、図１１で示す隣接するプレート間の耐圧を確保する接触点Ｑ、Ｑの間隔である点ピッチＰが粗になり、プレート間の耐圧性能が低下する問題がある。
【００１０】
また、以上の伝熱性能改善策では一定以上の効果が得られないことから、現状ではプレート枚数を増大させて伝熱性能不足をカバーするようにしている。しかし、プレート枚数を増やすほど熱交換器が大型重量化し、製造コストが高くなる問題がある。
【００１１】
本発明の目的は、伝熱プレート枚数を増大させることなく、製造コスト上有利に伝熱性能を改善したプレート式熱交換器を提供することにある。
【００１２】
【課題を解決するための手段】
上記目的を達成する請求項１の発明は、４隅に通路孔を有する伝熱プレートを複数枚積層して成り、２種類の熱交換媒体が所定の入口側通路孔から出口側通路孔へと流動する熱交換流路を、隣接する伝熱プレートの凹凸波板形状の伝熱部の間に、交互に形成したプレート式熱交換器において、上記熱交換流路の熱交換媒体が流入する入口に、部分的に流路断面積を他の熱交換流路の平均断面積の半分以下に小さくして流れる熱交換媒体の流速をノズル効果で積極的に増大させる高流速堰を熱交換流路の入口を横切る方向に形成したことを特徴とする。
【００１３】
ここで、熱交換流路に形成される高流速堰の断面形状は様々なものが可能であり、１つの熱交換流路に高流速堰が単数或いは複数設置される。更に、高流速堰は１枚の伝熱プレートの片面側の熱交換流路だけに限らず、必要に応じて１枚の伝熱プレートの両面側の隣接する各熱交換流路にも形成可能である。このような熱交換流路における高流速堰は、熱交換流路を流れる熱交換媒体をノズル効果により高流速化して、プレート全体の伝熱性能を高める。
【００１４】
本発明の請求項２の発明は、上記高流速堰を、熱交換流路を流れる熱交換媒体の流れを横切る幅方向全域に連続的に形成したことを特徴とする。この場合、熱交換流路を流れる熱交換媒体の全てが高流速堰を通過し、高流速化される。
【００１５】
本発明の請求項３の発明は、上記高流速堰を、熱交換流路を流れる熱交換媒体の流れを横切る幅方向に複数を離隔させて形成したことを特徴とする。ここでの高流速堰は、請求項２の高流速堰を複数に分断させたものに相当する。
【００１７】
本発明の請求項４と５の発明は、上記高流速堰の断面形状を具体的に特定したものであって、請求項４の発明は高流速堰を隣接する２枚の各プレートを部分的に接近するように形成したことを特徴とする。また請求項５の発明は、高流速堰を隣接する２枚のプレートの一方を他方に接近するように形成したことを特徴とする。ここで、前者請求項４の高流速堰は、隣接する２枚のプレートを部分的にプレス成形した凸部同士を接近させて形成され、後者請求項５の高流速堰は、隣接する２枚のプレートの一方を部分的にプレス成形した凸部を他方の既存のプレートに接近させて形成される。
【００１８】
本発明の請求項６の発明は、上記高流速堰を、隣接する２枚のプレートの間に介在させた堰部材で形成したことを特徴とする。ここでの堰部材はプレートに固定できるゴム、金属、プラスチック等であり、その材質は熱交換媒体の種類で選択される。また、高流速堰をプレートと別体の堰部材で形成することで、既存のプレートが使用できる。
【００１９】
【発明の実施の形態】
以下、本発明の各種実施形態を図１乃至図８を参照して説明する。尚、図９乃至図１３を含む全図を通じて同一、又は、相当部分には同一符号を付して説明の重複を避ける。また、図１乃至図８の各実施形態は、図９のヘリンボーン式プレート１０の熱交換器に適用したものである。
【００２０】
図１の正面図に示されるプレート１０は、その伝熱部５の上部に流路を横断する方向で横一文字状の高流速堰１１ａを有する。図２に示すように、積層一体化された隣接する２枚の伝熱プレート１０、１０の間に形成された熱交換流路ｍの上部に高流速堰１１ａが、熱交換流路ｍを流下する熱交換媒体の流れ横切る幅方向全域に連続的に形成される。図２の高流速堰１１ａは、隣接するプレート１０，１０の伝熱部５，５の上部を横一直線状にプレス成形した凸部１２，１２の頂面同士を所定の間隔で接近させてその間に狭隘通路ができるように形成される。
【００２１】
プレート１０の入口側通路孔１から熱交換流路ｍに流入する熱交換媒体は、熱交換流路ｍを流れる初期段階において高流速堰１１ａを通過し、この堰通過時に高流速堰１１ａによるノズル効果で高流速化される。また、このように熱交換媒体の流速が高速化されるように高流速堰１１ａにおける通路断面積が他の熱交換通路ｍの平均断面積の半分以下に設定される。高流速堰１１ａが熱交換流路ｍの幅方向全域に形成されているので、入口側通路孔１から流下する熱交換媒体の全てが高流速堰１１ａを通過し高流速化されて、図１の鎖線矢印で示すように伝熱部５を台形流パターンで出口側通路孔３へと流れる。この媒体流動時の高流速堰１１ａでの高流速化で伝熱部５、つまりはプレート１０の伝熱性能が高められる。
【００２２】
図１のプレート１０の高流速堰１１ａによる伝熱性能のアップ率は、熱交換流路ｍを流れる熱交換媒体の種類（冷却水、蒸気、薬液など）で相違し、また、熱交換媒体の種類に適応するように高流速堰１１ａの媒体流れ方向の長さ、堰流路断面積が決められる。更に、熱交換流路ｍに流れる熱交換媒体の種類に適応するように高流速堰の断面形状や配置パターンが、また、１つの熱交換流路における堰数等が例えば図３乃至図８に示すように設定される。
【００２３】
図３乃至図５は、図１のプレート１０に形成された横一文字状の高流速堰１１ａの断面形状変更例を示す。
【００２４】
図３の高流速堰１１ｂは、隣接する２枚のプレート１０，１０の一方だけに凸部１３をプレス成形して、この凸部１３の頂面を他のプレート１０の平坦面に接近させることで形成される。このように高流速堰１１ｂを形成すると、隣接する２枚のプレート１０，１０の内の、凸部１３の無い一方に図１０の既存プレートが使用できる。
【００２５】
図４の高流速堰１１ｃは、隣接する２枚の各プレート１０，１０の対向面に一対の角棒状の堰部材１４，１４を固定して形成される。一対の堰部材１４，１４を所定の間隔で離隔させて、この両者の間に高流速堰１１ｃが形成される。堰部材１４，１４はゴム、金属、プラスチック等で形成されて、プレート１０に接着、溶接等で固定される。一対の堰部材１４，１４の断面形状は矩形に限らず、台形断面、三角断面、半円形断面等が可能である。図４の高流速堰１１ｃの構造の場合、隣接するプレート１０，１０の全てに図１０の既存プレートが使用できる。また、図４の鎖線に示すように、１枚の既存のプレート１０の両面に固定部材１４，１４’を固定して、１枚のプレート１０の両面で隣接する各熱交換流路ｍの各々に高流速堰１１ｃを形成することも可能である。
【００２６】
図５の高流速堰１１ｄは、隣接する２枚のプレート１０，１０の対向面の一方にだけ角棒状の堰部材１５を固定して形成される。この場合、堰部材１５とこれに対向する他方のプレート１０の平坦面との間に高流速堰１１Ｄが形成される。堰部材１５の材質、断面形状は図４の場合と同様に様々であり、また、図５の高流速堰１１ｄの構造においても既存プレートの使用が可能であり、隣接する両熱交換流路への高流速堰１１ｄの設置が容易に可能となる。
【００２７】
図６乃至図８のプレート平面図に示す各実施形態は、図１のプレート１０の高流速堰１１ａの全体形状、堰数の変更例を示す。
【００２８】
図７の高流速堰１１ｅは、プレート１０の熱交換流路ｍを流れる熱交換媒体の流れを横切る幅方向に複数を離隔させて形成したもので、プレート１０の伝熱部５の媒体入口側に形成される。この複数の各高流速堰１１ｅの断面形状は、図２乃至図５のいずれであってもよい。また、プレート１０の入口側通路孔１から伝熱部５を熱交換媒体が、図６の鎖線矢印で示すように台形流パターンで流下することから、図７の鎖線矢印の箇所を少なくとも１つの高流速堰１１ｅが横切るように、鎖線矢印の流下方向に沿って複数の高流速堰１１ｅを設定することが、プレート１０の伝熱性能を安定して高める上で望ましい。図７の断続パターンの高流速堰１１ｅにおいては、熱交換媒体が高流速堰１１ｅを通過するときに高流速化されると共に、高流速堰１１ｅの端の堰間を回り込んで通過するときにも高流速化されて、プレート１０の伝熱性能を向上させる。
【００２９】
図８の高流速堰１１ｆは、熱交換流路ｍを流れる熱交換媒体の流れ方向に対して傾斜した角度を持たせて形成される。この高流速堰１１ｆは、例えばプレート１０の伝熱部５の上部にＶ形パターンで単数本が形成され、そのＶ形中央部が伝熱部５の中央に位置して、このＶ形中央部に伝熱部５の中央部を流下する熱交換媒体が斜め方向から低抵抗で流入してスムーズに高流速化される。高流速堰１１ｆの断面形状も、図２乃至図５のいずれかであればよい。また、Ｖ形パターンの高流速堰１１ｆは、プレート１０の伝熱部５に形成された凹凸波７のヘリンボーンパターンに合わせて形成される。
【００３０】
図６の高流速堰１１ｇは、熱交換流路ｍを流れる熱交換媒体の流れを横切る方向で、熱交換媒体の流れの離隔した上下２箇所に一対が形成される。この一対の高流速堰１１ｇ、１１ｇは、プレート１０の伝熱部５の上部と中央部に１本ずつが形成される。上下の各高流速堰１１ｇ、１１ｇの断面形状は図２乃至図５のいずれかであればよい。プレート１０の出口側通路孔１から熱交換流路ｍを流下する熱交換媒体は、上段の高流速堰１１ｇで高流速化され、更に、流下して下段の高流速堰１１ｇでも高流速化されて、プレート１０の伝熱性能が２箇所で高められる。
【００３１】
本発明は以上の各実施形態に限らず、例えば図１や図７，図８の高流速堰をプレート間の熱交換流路に２段以上の多段階パターンで形成してもよい。また、以上の各実施形態は図９のヘリンボーン式プレートの熱交換器に適用したが、本発明は他の型式のプレート式熱交換器にも適用可能である。
【００３２】
【発明の効果】
本発明によれば、隣接するプレート間の熱交換流路にこの流路を流れる熱交換媒体の流速を部分的に高めてプレート自体の伝熱性能を高める高流速堰を設けたので、プレートの成形深さやプレート伝熱部の伝面波角度を小さく設計することなく伝熱性能の向上が可能となる。また、プレートの成形深さを小さく設計する必要性が無くなることで、プレート間のガスケットの圧縮代を大きくしてシール性を安定させることや、プレートをプレス成形する金型の高精度化が回避できて、プレート式熱交換器の製造コストの低減が可能となる。また、プレート間の耐圧性能を下げることなくプレートの伝面波角度を設計することが可能となり、更には、プレート枚数を増大させることなく高伝熱性能のプレート式熱交換器による小型軽量化と製造コストの低減が可能となる。
【００３３】
また、プレート間の熱交換流路にプレートの部分的な形状変更で高流速堰を形成する場合は、既存のプレートの一部形状をプレス成形で変更させることで既存プレートが使用でき、或いは、少なくとも半数のプレートに既存プレートが形状変更することなく使用できて、設備投資的に有利な熱交換器が提供できる。
【００３４】
また、プレート間の熱交換流路にゴム等の堰部材を固定配置して高流速堰を形成することで、全てのプレートに既存プレートが使用できて、設備投資的に有利な熱交換器が提供できる。また、プレートへの堰部材の取付位置、数の変更が容易にでき、様々な種類の熱交換媒体に対応させた高汎用性のプレート式熱交換器が提供できる。
【図面の簡単な説明】
【図１】本発明の第１の実施形態を示すプレート式熱交換器のプレート正面図。
【図２】図１Ａ−Ａ線に沿う第１の実施形態での拡大断面図。
【図３】図１Ａ−Ａ線に沿う第２の実施形態での拡大断面図。
【図４】図１Ａ−Ａ線に沿う第３の実施形態での拡大断面図。
【図５】図１Ａ−Ａ線に沿う第４の実施形態での拡大断面図。
【図６】本発明の第５の実施形態を示すプレート正面図。
【図７】本発明の第６の実施形態を示すプレート正面図。
【図８】本発明の第７の実施形態を示すプレート正面図。
【図９】従来例１のプレート式熱交換器のプレート正面図。
【図１０】図９Ｂ−Ｂ線に沿う拡大断面図。
【図１１】
図１０のプレートの凹凸波パターンを説明するための正面図。
【図１２】
従来例２のプレート式熱交換器のプレート正面図。
【図１３】
従来例３のプレート式熱交換器のプレート正面図。
【符号の説明】
１〜４    通路孔
５    伝熱部
６    シール部
ｍ    熱交換流路
１１ａ〜１１ｇ  高流速堰
１２、１３      凸部
１４、１５      堰部材
【図１】
0003586581.tif 000002
【図２】
0003586581.tif 000003
【図３】
0003586581.tif 000004
【図４】
0003586581.tif 000005
【図５】
0003586581.tif 000006
【図６】
0003586581.tif 000007
【図７】
0003586581.tif 000008
【図８】
0003586581.tif 000009
【図９】
0003586581.tif 000010
【図１０】
0003586581.tif 000011
【図１１】
0003586581.tif 000012
【図１２】
0003586581.tif 000013
【図１３】
0003586581.tif 000014